(57)【要約】【課題】  特殊なフォームデータをダウンロードされたデバイスを移転させる際、フォームデータの誤用・不正使用を防ぐために管理者がデバイス内のフォームデータの削除を行うが、大規模管理の場になると管理者の役割と仕事量が増大してしまう。【解決手段】  フォームデータにネットワーク情報を付加させ、デバイスにフォームデータの使用可否を判別させることで、自動的にフォームデータの管理を行い、管理者の負担を軽減することが可能となる。【選択図】        図１
2006079420.tif 000002
【特許請求の範囲】
【請求項１】
印刷装置などの周辺機器にフォームデータなどをダウンロードする装置であり、デバイスからネットワーク情報を取得する手段と、フォームデータにネットワーク情報を付加してダウンロードする手段を備えたことを特徴とするフォームダウンロード装置。
【請求項２】
ダウンロードするネットワーク情報は、接続してあるデバイスに関するものであることを特徴とする請求項１に記載のフォームダウンロード装置。
【請求項３】
ダウンロードするネットワーク情報は、デバイスが取得もしくは、管理者によって取得されることを特徴とする請求項１または２に記載のフォームダウンロード装置。
【請求項４】
ネットワーク情報はデバイスがネットワークに接続された時点で、自動的にもしくは管理者の手によって行われることを特徴とする請求項１乃至３のいずれかに記載のフォームダウンロード装置。
【請求項５】
ネットワーク情報とは、プロトコル、ＩＰアドレス、Ｓｕｂｎｅｔｍａｓｋ、ドメイン名、ワークグループ名、接続サーバ名などであることを特徴とする請求項１乃至４のいずれかに記載のフォームダウンロード装置。
【請求項６】
ＰＣに接続された印刷装置等の周辺機器であり、フォームデータを記憶する記憶手段と、ＰＣよりフォームデータを受信する受信手段と、受信したフォームデータを該記憶手段に格納することを特徴とした周辺機器装置。
【請求項７】
ＰＣに接続された印刷装置等の周辺機器であり、ネットワーク情報を記憶する記憶手段と、接続しているネットワークの情報を自ら取得する取得手段と、ＰＣよりネットワーク情報を受信する受信手段と、受信したフォームデータを該記憶手段に格納することを特徴とした請求項６に記載の周辺機器装置。
【請求項８】
ＰＣに接続された印刷装置等の周辺機器であり、ダウンロードされたフォームデータに付加されたネットワーク情報を読み取る読み取り手段と、該ネットワーク情報と自ら取得するネットワーク情報との比較判別を行う比較判別手段と、該判別結果よりダウンロードされたフォームデータを使用不可にする手段を備えた請求項６または７のいずれかに記載の周辺機器装置。
【請求項９】
ネットワーク情報とは、プロトコル、ＩＰアドレス、Ｓｕｂｎｅｔｍａｓｋ、ドメイン名、ワークグループ名、接続サーバ名などであることを特徴とする請求項６乃至８のいずれかに記載の周辺機器装置。
【請求項１０】
印刷装置などの周辺機器にフォームデータなどをダウンロードする装置であり、デバイスからネットワーク情報を取得する手段と、フォームデータにネットワーク情報を付加してダウンロードする手段を備えたことを特徴とするフォームダウンロード装置。
【請求項１１】
周辺機器とネットワークで接続されたＰＣとからなり、ＰＣは周辺機器にフォームデータのダウンロードを行うステップと、フォームデータにネットワーク情報を付加してダウンロードを行うステップと、デバイスよりネットワーク情報を取得するステップと備え、周辺機器には、フォームデータを記憶する記憶ステップと、ネットワーク情報を取得する取得ステップを備えたことを特徴とする、フォームデータダウンロード方法。
【請求項１２】
ネットワーク情報とは、プロトコル、ＩＰアドレス、Ｓｕｂｎｅｔｍａｓｋ、ドメイン名、ワークグループ名、接続サーバ名などであることを特徴とする請求項１１に記載のフォームダウンロード方法。
【発明の詳細な説明】
【技術分野】
【０００１】
本発明はネットワークに接続されたプリンタやプリンタ機能を持つ機能複合型複写機に関するフォームダウンロード装置および周辺機器装置およびフォームダウンロード方法に関するものである。
【背景技術】
【０００２】
従来、特殊なフォームデータをダウンロードされたデバイスを、社外もしくは他部門へ移転させる場合、アクセスされたくないフォームデータは誤用・不正使用を防ぐために管理者が移転前に、デバイス内のフォームデータの削除を行う。これが大規模管理の場になると、個々のデバイスに対してフォームデータの管理が必要となり、管理者の役割と仕事量は膨大になってしまっている。
【０００３】
そして、放送情報の視聴者がネットワークに接続されたサーバ等から放送情報または記憶情報に関連した情報または記憶情報に関連した情報またはコンテンツを容易に取得する技術が公開されている（特許文献１参照）。
【特許文献１】特開２００２−２０９２０４号公報
【発明の開示】
【発明が解決しようとする課題】
【０００４】
しかしながら、上記は放送情報に関するものであり、ネットワーク情報を使用して、フォームデータの管理を行うもので、フォームデータに関する記載はない。
【０００５】
本発明は上記の課題に鑑みてなされたものであり、デバイスへダウンロードされているフォームデータの管理を容易にし、大量のデバイスがあっても管理者に膨大な負荷のかからない運用を提供することが可能となる。
【課題を解決するための手段】
【０００６】
上記課題を解決するために、本発明は以下の構成から成る。
【０００７】
印刷装置などの周辺機器にフォームデータなどをダウンロードする装置であり、デバイスからネットワーク情報を取得する手段と、フォームデータにネットワーク情報を付加してダウンロードする手段を備えたことを特徴とするフォームダウンロード装置。
【発明の効果】
【０００８】
フォームデータにネットワーク情報を付加させ、デバイスにフォームデータの使用可否を判別させることで、自動的にフォームデータの管理を行い、管理者の負担を軽減することが可能となる。
【発明を実施するための最良の形態】
【０００９】
以下本発明を実施するための最良の形態を、実施例により詳しく説明する。
【実施例】
【００１０】
図１は本発明の概要を表した図を示したもので、同図を用いて本発明の構成を説明する。
【００１１】
１０はネットワークであり、情報機器としてのパーソナルコンピュータ（以下、ＰＣと略す）などが、ネットワークを介して接続されている。
【００１２】
２０はＰＣであり、ＣＰＵ（不図示）、ＲＡＭ（不図示）、各種のＩＦ（不図示）などがシステムバスを通じて接続されている。
【００１３】
２１はハードディスク装置であり、ＰＣ２０のバスもしくはＩＦに接続され、ＰＣ２０で接続されるプログラムやプログラムで使用するデータを保持する。
【００１４】
３０は、プリンタ装置であり、データ処理部（不図示）、印刷エンジン（不図示）、ネットワークＩＦ（不図示）、ＲＯＭ（不図示）、ＲＡＭ（不図示）、などから構成される。
【００１５】
３１は、プリンタで使用されるハードディスク装置などの記憶装置であり、プリンタ３０のバスもしくはＩＦに接続され、プリンタ３０で動作させるプログラム、フォント、マクロデータ、フォームデータ等を保持する。
【００１６】
４０は、ネットワーク１０に接続されたサーバであり、時としてネットワーク情報を作成する際に使用される。
【００１７】
図２のフローチャートはフォームデータのダウンロードされたデバイスの動作について示したものである。
【００１８】
ステップＳ２０１では、デバイスは接続されているネットワークの情報を取得し、デバイス内のネットワーク情報を更新する。そして、ステップＳ２０２へ進む。
【００１９】
ステップＳ２０２では、デバイス内のフォームデータにネットワーク情報が付加されているかをチェックする。フォームデータにネットワーク情報が付加されていれば、ステップＳ２０３へ進み、ネットワーク情報が付加されていなければ、ステップＳ２０４へ進む。
【００２０】
ステップＳ２０３では、フォームデータに付加されたネットワーク情報を、デバイス内の取得したネットワーク情報と一致するかをチェックする。２つが一致するならば、ステップＳ２０４へ進み、一致しなければステップＳ２０５へ進む。
【００２１】
ステップＳ２０４では、フォームデータを使用可能なものとしてデバイスへ登録し、ステップＳ２０６へ進む。
【００２２】
ステップＳ２０５では、フォームデータを使用不可能なものとしてデバイスへ登録し、ステップＳ２０６へ進む。
【００２３】
ステップＳ２０６では、Ｓ２０２でネットワーク情報が付加されているかの判別を行っていないフォームファイルがないかをチェックする。まだ、チェック済みのものがあれば、ステップＳ２０２へ進み、判別を行う。すべてチェック済みであれば、ステップＳ２０７へ進み終了する。
【００２４】
ステップＳ２０７では、フォームデータのチェックが終わったものとして、終了する。
【００２５】
図３のフローチャートはネットワーク情報がフォームデータに登録されるときの動作について示したものである。
【００２６】
ステップＳ３０１では、ネットワーク情報の付加が必要かどうかをチェックする。必要ならば、ステップＳ３０２進み、必要でないのならステップＳ３０８へ進み終了する。
【００２７】
ステップＳ３０２では、フォームデータに予めネットワーク情報が付加されているかどうかをチェックする。ネットワーク情報が予め付加されているのであれば、ステップＳ３０３へ進みネットワーク情報更新のチェックを行う。ネットワーク情報が付加されていなければ、ステップＳ３０４へ進む。
【００２８】
ステップＳ３０３では、付加されているネットワーク情報の更新が必要かどうかをチェックする。更新が必要ならば、ステップＳ３０４へ進み、更新が必要ないのならステップＳ３０７へ進む。
【００２９】
ステップＳ３０４では、フォームデータの設定対象となるデバイスがネットワークに接続されているかどうかをチェックする。ネットワークに接続されている状態なら、ステップＳ３０６へ進み、接続されていなければステップＳ３０５へ進む。
【００３０】
ステップＳ３０５では、デバイスが接続されていないため、接続予定のネットワーク情報を用意しておき、ステップＳ３０６へ進む。
【００３１】
ステップＳ３０６では、フォームデータにネットワーク情報を付加してステップＳ３０７へ進む。
【００３２】
ステップＳ３０７では、対象となるフォームデータが他にもあるかをチェックし、まだあるのなら、ステップＳ３０１へ戻り、同様のことを行う。対象となるフォームデータが他にないのであれば、ステップＳ３０８へ進む。
【００３３】
ステップＳ３０８では、フォームデータのネットワーク情報の設定が、終わったものとして終了する。
【００３４】
図４は、フォームデータに付加されたネットワーク情報の例を示す。
【００３５】
デバイスはネットワーク情報を参照し、フォームデータの登録判別を行う。ここで示すネットワーク情報の例としては、デバイスの使用プロトコル、ＩＰアドレス、Ｓｕｂｎｅｔｍａｓｋを含む。
【図面の簡単な説明】
【００３６】
【図１】システム概要図
【図２】フォームデータのダウンロードされたデバイスの動作を示したフローチャート
【図３】ネットワーク情報がフォームデータに登録されるときの動作を示したフローチャート
【図４】フォームデータに付加されたネットワーク情報の例を示す図
【符号の説明】
【００３７】
１０  ネットワーク
２０  ＰＣ
２１  ハードディスク装置
３０  プリンタ装置
３１  記憶装置
４０  サーバ
【図１】
2006079420.tif 000003
【図２】
2006079420.tif 000004
【図３】
2006079420.tif 000005
【図４】
2006079420.tif 000006